(57)【要約】      （修正有）【課題】衝撃にも強く耐震性に優れた棚を支持する受け金具を提供する。【解決手段】受け金具１は、本体１０と、嵌合部２０とを備える。本体１０は、対向し離間する２つの側面１１と、２つの側面を繋ぎ所定の幅を有する上面１３とを備える。嵌合部２０は、本体と同様に離間する２つの側部２１、２２と、２つの側部を繋ぎ所定の幅を有する上部とを備える。側部には、側部から外方に突出し対向する一対の嵌合片２４が複数配置されている。嵌合片と側部の端面２１ａ、２２ａとの間には所定に幅を有する開口部２６が形成され、嵌合片を支柱３０の嵌合孔３１に挿入させ、開口部２６で支柱の板厚部分を挟持することにより受け金具を支柱に取り付けることができる。【選択図】図１
0003208173.tif 000002
【実用新案登録請求の範囲】
【請求項１】
支柱の嵌合孔に嵌合して棚を支持する受け金具であって、
長尺状の本体と前記本体の一先端に設けられる嵌合部とを備え、
本体は、少なくとも離間する２つの側面と２つの側面同士を繋ぎ所定の幅を有する上面とを有し、
嵌合部は、少なくとも離間する２つの側部と２つの側部同士を繋ぐ上部と、前記各側部から外方に突出する複数の嵌合片を有し、
一方の前記側部に設けられた前記嵌合片は、他方の前記側部に設けられた前記嵌合片と対向するように複数配置され、
前記嵌合片と前記側部の端面との間に所定の幅を有する開口部が設けられ、
前記嵌合片が前記嵌合孔に挿入し、前記開口部が前記支柱の板厚部分を挟持することにより、嵌合部と支柱が嵌合することを特徴とする、
受け金具。
【請求項２】
前記嵌合片は、当該嵌合片の突出する方向と略垂直方向に一体に延在する保持片を有し、
前記嵌合片の前記開口部は、前記側部の端面で形成される面よりもよりやや内方向に窪む窪み面と、
前記嵌合片を突出させている立上げ面と、
前記窪み面に対向した側に配置されている前記保持片の内面側に形成される当接面と、
を備えることを特徴とする請求項１に記載の受け金具。
【請求項３】
前記開口部の前記窪み面と前記当接面で形成される前記開口部の幅は、前記立上げ面側の幅よりも前記開口部の開口側の幅のほうが、大きく形成されていることを特徴とする請求項２に記載の受け金具。
【請求項４】
前記嵌合部は、前記嵌合片が形成される端部と反対側の端部において、前記嵌合片の突出する突出方向と同じ方向に突出する突起部が形成されていることを特徴とする請求項１から３のいずれか１項に記載の受け金具。
【請求項５】
前記本体と前記嵌合部は、別体で形成され、軸を介して前記本体に対して前記嵌合部が回動自在に取り付けられていることを特徴とする請求項１から４のいずれか１項に記載の受け金具。
【考案の詳細な説明】
【技術分野】
【０００１】
本考案は、棚などを支える受け金具に関する。
【背景技術】
【０００２】
支柱に取り付け、棚を載置させる受け金具が知られている（特許文献１参照）。
【０００３】
特許文献１は、棚受け本体の係入片が支柱の孔に係入された際に、支柱の孔内に挿入されて棚受け本体の支柱からの抜けを防止しうる抜け止め部材が、棚受け本体の一端側に出没自在に設けられている棚受けである。
【０００４】
そして、棚を受けるべく支柱に取り付けられる棚受けに関し、ビス止めや工具等を別途要することなく、不可抗力によって棚受けが支柱から離脱するのを防止し、かつ支柱に設置した状態での棚受けの横振れを防止し、しかもワンタッチの簡易な操作で支柱へ固定状態で取り付けることのできることが開示されている。
【先行技術文献】
【特許文献】
【０００５】
【特許文献１】特開平１１−３３２６６３号公報
【考案の概要】
【考案が解決しようとする課題】
【０００６】
しかしながら、特許文献１に記載された棚受けでは、棚受け本体が平板状の１枚の金属板からなるため支柱との固定状態が弱く、横からの衝撃で棚受けが揺れやすく、それに伴って棚が揺れやすい。その結果、この棚受けでは、棚からの落下物の危険があり、耐震性に欠けるという問題があった。
【０００７】
本考案は、上述した事情に鑑み、衝撃にも強く耐震性に優れた受け金具を提供することを目的とする。
【０００８】
本考案の考案者は、取り付けやすく、かつ衝撃にも強く耐震性に優れた受け金具について、鋭意開発を続けた結果、以下のような画期的な受け具を考案することに至った。
【課題を解決するための手段】
【０００９】
上記課題を解決する本考案の第１の態様は、支柱の嵌合孔に嵌合して棚を支持する受け金具であって、長尺状の本体と本体の一先端に設けられる嵌合部とを備え、本体は、少なくとも離間する２つの側面と２つの側面同士を繋ぎ所定の幅を有する上面とを有し、嵌合部は、少なくとも離間する２つの側部と２つの側部同士を繋ぐ上部と、各側部から外方に突出する複数の嵌合片を有し、一方の側部に設けられた嵌合片は、他方の側部に設けられた嵌合片と対向するように複数配置され、嵌合片と側部の端面との間に所定の幅を有する開口部が設けられ、嵌合片が嵌合孔に挿入し、開口部が支柱の板厚部分を挟持することにより、嵌合部と支柱が嵌合することを特徴とする受け金具にある。
【００１０】
かかる第１の態様では、両側部にそれぞれ嵌合片が形成されことにより、嵌合部と支柱との嵌合が強固となり、耐震性の高い受け金具の取り付けが可能となる。また、本体の上面に所定の幅があるため、横からの衝撃で曲がる恐れも極めて少なく、振動にも強く、受け金具に載置される棚が安定し、荷重に耐えられ、棚に載置された物品等の落下が防止され、使用上、安全性の高い受け金具を提供できる。
【００１１】
本発明の第２の態様は、嵌合片は、嵌合片の突出する方向と略垂直方向に一体に延在する保持片を有し、嵌合片の開口部は、側部の端面で形成される面よりもよりやや内方向に窪む窪み面と、嵌合片を突出させている立上げ面と、窪み面に対向した側に配置されている保持片の内面側に形成される当接面と、を備えることを特徴とする第１の態様に記載の受け金具にある。
【００１２】
かかる第２の態様では、支柱への受け金具の取り付けをスムーズに行うことができる。また、側部の端面と支柱の外面とが当接し、当接面と支柱の内面とが当接するため、嵌合部と支柱との嵌合を強固とすることができる。
【００１３】
本発明の第３の態様は、開口部の窪み面と当接面で形成される開口部の幅は、立上げ面側の幅よりも開口部の開口側の幅のほうが、大きく形成されていることを特徴とする第２の態様に記載の受け金具にある。
【００１４】
かかる第３の態様では、嵌合部の取り付け時の遊び幅が確保されるので、支柱に受け金具をより容易に取り付けることができる。
【００１５】
本発明の第４の態様は、嵌合部は、嵌合片が形成される端部と反対側の端部において、嵌合片の突出する突出方向と同じ方向に突出する突起部が形成されていることを特徴とする第１〜３の態様いずれかに記載の受け金具にある。
【００１６】
かかる第４の態様では、後述する嵌合孔に突起部を挿入係合することにより、受け金具の支柱に対する嵌合をより強固にすることができる。
【００１７】
本発明の第５の態様は、本体と嵌合部は、別体で形成され、軸を介して本体に対して嵌合部が回動自在に取り付けられていることを特徴とする第１〜４の態様のいずれかに記載の受け金具にある。
【００１８】
かかる第５の態様では、嵌合部を回動させることができるので、支柱に対する本体の角度を自在に変更することができる。
【図面の簡単な説明】
【００１９】
【図１】本考案に係る受け金具の一例を示し、（ａ）左側面斜視図、（ｂ）取り付け斜視図である。
【図２】本考案に係る受け金具の一例を示し、（ａ）左側面図、（ｂ）正面図、（ｃ）背面図である。
【図３】本考案に係る受け金具の支柱への取り付けを示す斜視図である。
【図４】本考案に係る受け金具の支柱への取り付けを示す部分断面図、（ａ）取り付け開始時、（ｂ）嵌合部挿入時、（ｃ）取り付け完了時。
【図５】図４（ｃ）の拡大図である。
【図６】本考案に係る受け金具の一例を示し、（ａ）左側面図、（ｂ）（ａ）のＡ部拡大図である。
【考案を実施するための形態】
【００２０】
以下、図面を用いて、本考案に係る受け金具の具体的な実施形態について詳述する。
【００２１】
図１は、本考案に係る受け金具の一例を示し、（ａ）は側面斜視図、（ｂ）は取り付け斜視図である。図２は、受け金具の一例を示し、（ａ）は左側面図、（ｂ）は正面図、（ｃ）は背面図である。図１および図２に基づいて受け金具の一例を詳述する。なお、図１（ｂ）は、取り付けを説明するため寸法等は一部誇張している。
【００２２】
本実施形態の受け金具１は、後述する棚４０や台座などを下方から支持し、長尺状で側面視略三角形状をなし、金属の折り曲げ加工や樹脂成形などから形成される。
【００２３】
受け金具１は、本体１０と、本体１０の一先端に設けられた嵌合部２０とを備える。本体１０は、対向し離間する２つの側面１１、１２と、２つの側面１１、１２を繋ぎ所定の幅を有する上面１３とを備え、断面が略コ字型形状を成し、２つの側面１１、１２と上面１３とで画定される空間に電源コード等を収納可能とする収納部１４が形成されている。
【００２４】
嵌合部２０は、本体１０と同様に離間する２つの側部２１、２２と、２つの側部２１、２２を繋ぎ所定の幅を有する上部２３とを備え、断面が略コ字型形状を成している。側部２１、２２には、側部２１、２２から外方に突出する複数の嵌合片２４が設けられ、側部２１、２２において対向する一対の嵌合片２４が複数配置されている。すなわち、一方の側部２１に設けられた嵌合片２４は、他方の側部２２に設けられた嵌合片２４と対向するように複数配置されている。本実施形態では、それぞれの側部２１、２２に対向して一対となる嵌合片２４が設けられ、さらに、一対の嵌合片２４が垂直方向（又は上下方向）に２つ設けられ、嵌合部２０は、合計４つの嵌合片２４を有している。なお、嵌合片２４の数に限定されない。
【００２５】
嵌合片２４は、さらに当該嵌合片２４の突出する方向と略垂直方向に一体に延在する保持片２５を有している。そして、保持片２５と嵌合部２０の端面２１ａ、２２ａとの間には所定に幅を有する開口部２６が形成されている。
【００２６】
本体１０と嵌合部２０は一体形成でも良いが、本実施形態では、本体１０と嵌合部２０とは別体で形成され、嵌合部２０は本体１０に対して軸１５を中心として回動自在に取り付けられている。本体１０と嵌合部２０との位置固定は、側面１１と側部２１とに設けられた複数の位置止め部１６の互いに一致する位置で、例えば棒などを差し込んで行うことができる。本実施形態における位置止め部１６は略円形状を成しているが、形状等に限定されず、また、本体１０と嵌合部２０との位置固定構造も限定されない。
【００２７】
本実施形態に示す通り、受け金具１は、長尺状の支柱３０に嵌合して棚４０を下から支持するために用いられる支持金具でもある。
【００２８】
支柱３０には、複数の嵌合孔３１が形成され、嵌合孔３１は、支柱３０の一端面に２つの嵌合孔３１が対向して一対を成し、一対の嵌合孔３１が支柱３０の長手方向（垂直方向）に沿って略平行に複数配置されている。
【００２９】
図３は、本考案に係る受け金具の支柱への取り付けを示す斜視図である。図４は、受け金具の支柱への取り付けを示す部分断面図で、（ａ）は取り付け開始時、（ｂ）は嵌合部挿入時、（ｃ）は取り付け完了時である。図５は、図４（ｃ）の拡大図である。図３〜図５に基づいて、本実施形態に係る受け金具１の支柱３０への取り付けを説明する。
＜受け金具の取り付け＞
【００３０】
壁や治具等により固定された支柱３０に対して受け金具１を取り付ける。まず、支柱３０の所望の位置にある嵌合孔３１に嵌合部２０の嵌合片２４を挿入する。本実施形態では、本体１０の長手方向に平行に嵌合片２４が配置されるように嵌合部２０を本体１０に対して軸１５を中心に回転させる。図２（ａ）の嵌合片２４の位置から軸を中心に嵌合部２０を回転させると図３の嵌合片２４の位置関係になる。
【００３１】
図３に示す通り、嵌合部２０のそれぞれの側部２１、２２に形成され対向する一対の嵌合片２４同士の距離ｄ１は、支柱３０に形成された一対の嵌合孔３１同士の距離ｄ２と略一致しており、また、一対の嵌合片２４とそれに隣接する一対の嵌合片２４との距離Ｄ１は、一対の嵌合孔３１とそれに隣接する一対の嵌合孔３１との距離Ｄ２と略一致しているため、受け金具１は、支柱３０の所望の位置に適切に嵌合させることができる。
【００３２】
次に、受け金具１の嵌合部２０の嵌合片２４を支柱３０の嵌合孔３１に挿入させ（図４（ａ）参照）、受け金具１を垂直方向（支柱３０の下方向）に移動させることにより（図４（ｂ）参照）、開口部２６が支柱３０の板厚部分を挟持するため、受け金具１を支柱３０に確実に嵌合させることができる（図４（ｃ）参照）。
【００３３】
両側部２１、２２にそれぞれ嵌合片２４が形成され、対向する一対の嵌合片２４も含め嵌合片２４が複数あることにより（本実施形態では４つの嵌合片２４）、嵌合部２０と支柱３０との嵌合が強固となり、耐震性の高い受け金具１の取り付けが可能となり、受け金具１に載置固定される棚４０や棚４０に載置される物品などの落下が防止され、使用上、安全性の高い受け金具１を提供できる。また、本体１０の上面１３に所定の幅があるため、従来技術の平板状の１枚板に比較して横からの衝撃で曲がる恐れも極めて少なく、振動にも強く、受け金具１に載置される棚４０が安定し、荷重に耐えられことができる受け金具１を提供できる。
【００３４】
開口部２６は、図５に示すように、側部２１、２２の端面２１ａ、２２ａで形成される面よりもよりやや内方向に窪む窪み面２６ａと、嵌合片２４を突出させている立上げ面２６ｂと、窪み面２６ａに対向した側に配置されている保持片２５の内面側に形成される当接面２６ｃとで構成され、略コ字型形状を成している。
【００３５】
本実施形態では、開口部２６は、嵌合部２０の側部２１、２２の端面２１ａ、２２ａで形成される面よりも内方向に窪んでいる窪み面２６ａが形成されているため、嵌合片２４の嵌合孔３１に対する挿入と嵌合が容易となっている。すなわち、受け金具１の支柱３０への取り付けがスムーズに行われる。そして、側部２１、２２の端面２１ａ、２２ａと支柱３０の外面とが当接し、当接面２６ｃと支柱３０の内面とが当接するため嵌合部２０と支柱３０との嵌合が強固となる。特に、側部２１、２２の端面２１ａ、２２ａは所定の長さがあるため、支柱３０との当接する面積が確保され、受け金具１に載置される棚４０による荷重にも十分対応が可能となる。
【００３６】
以下、図６に基づいて構成を詳述するため、本実施形態において中央よりに形成される開口部２６を第１開口部２６１、端部側に形成される開口部２６を第２開口部２６２として定義するが、第１、第２は位置関係を限定する用語ではない。
【００３７】
本実施形態では、さらに、第１開口部２６１の第１窪み面２６１ａで形成される面よりも第２開口部２６２の第２窪み面２６２ａの形成される面が、より嵌合部２０の内方向に窪んでいる。そして、第１開口部２６１に連続する第１側部２１１の端面２１１ａで形成される面よりも、第２開口部２６２に連続する第２側部２１２の端面２１２ａで形成される面がより嵌合部２０の内方向に窪んでいる。すなわち、第１開口部２６１の幅Ｌ１と第２開口部の幅Ｌ２は異なり、幅Ｌ１は幅Ｌ２よりも小さく（Ｌ１＜Ｌ２）形成されている。なお、図６は左側面図であるため、左側の側部２１が示されているが、右側の側部２２も同様の構成と形状である。
【００３８】
上述の幅Ｌ１と幅Ｌ２の相違により、嵌合部２０の取り付け時の遊び幅が確保され、受け金具１の支柱３０への取り付け作業がより容易となる。
【００３９】
また、第１開口部２６１の幅は、第１立上げ面２６１ｂから離間するに従って大きく形成されている。すなわち、第１立上げ面２６１ｂ近傍の幅ｗ１は、第１開口部２６１の開口側近傍の幅ｗ２よりも小さく（ｗ１＜ｗ２）形成され、第１当接面２６１ｃは、第１開口部２６１の開口側に向かって傾斜面となっている。
【００４０】
当接面２６ｃを傾斜面とすることで支柱３０の嵌合孔３１に嵌合片２４を挿入して、受け金具１を下方に移動させる際、受け金具１の傾きやブレが生じても寸法的に吸収可能であり、取り付けがスムーズに行われ、作業性の良い嵌合が可能となる。すなわち、受け金具１を支柱３０に取り付ける作業に対する無理な力が必要なく、取り付けた後の受け金具１と支柱３０との嵌合も強固に維持できている。
【００４１】
そして、嵌合部２０の嵌合片２４が形成される反対側端部には、嵌合片２４の突出する方向と同じ方向に支柱３０の嵌合孔３１に挿入係合する突起部２７が突出形成されている。突起部２７が形成されている場合は、突起部２７の先端が支柱３０の壁面に当接するため、図４（ｂ）で示すように受け金具１は全体として後端部側を上にした傾斜状態で取り付けが行われる。
【００４２】
受け金具１を支柱３０に嵌合して、最後に突起部２７を嵌合孔３１に挿入係合することにより（図５参照）、受け金具１の支柱３０に対する嵌合がより強固となり、荷重への強度も増し（受け金具１の下方への変形防止）、下からの衝撃にも容易に外れることがない。
【００４３】
電源コード等を収納可能な収納部１４を上述したが、嵌合部２０において棚４０が載置される側が開口されていることが好ましく、また、棚４０に穴を開ける、棚４０の裏面側に隙間を作る、棚４０の横を利用する、等により棚４０側に配線することが可能であり、配線方法等については特に限定されない。
【００４４】
また、図１に示すように、本体１０に嵌合部２０と反対側の端部側に他の部品や装飾品等を取り付けるための取付部１７を設けても良い。本実施形態では、本体１０の長手方向と略直角方向の両側に延在する板状部１７ａと板状部１７ａに形成される取付穴１７ｂが設けられているが、本実施形態の構造に特に限定されない。
【００４５】
本体１０と嵌合部２０が一体形成であるか、別体形成であるかは限定されないが、受け金具１を支柱３０に取り付ける際、本体１０の長手方向に沿って嵌合片２４が突出状態にあれば良い。
【００４６】
本実施形態では、嵌合部２０の上部２３の反対側に端面２１ａ、２２ａが設けられているが、嵌合片２４の形成される側を端面２１ａ、２２ａとして説明しているためであり、上部２３との位置関係を限定しない。
【００４７】
なお、本考案は、上述した実施形態に限定されず、変形、改良、等が適宜可能である。また、上述した実施形態における各構成要素の形状、寸法、材質、数、配置箇所等は、本考案を達成できるものであれば任意であり、特に限定されない。
【産業上の利用可能性】
【００４８】
本考案は、耐震性を要求する受け金具に好適に用いられる。
【符号の説明】
【００４９】
１  受け金具
１０  本体
１１（１２）  側面
１３  上面
１４  収納部
１５  軸
１６  位置止め部
１７  取付部
１７ａ  板状部
１７ｂ  取付穴
２０  嵌合部
２１（２２）  側部
２１ａ、２２ａ  端面
２３  上部
２４  嵌合片
２５  保持片
２６  開口部
２６ａ  窪み面
２６ｂ  立上げ面
２６ｃ  当接面
２７  突起部
３０  支柱
３１  嵌合孔
４０  棚
【図１】
0003208173.tif 000003
【図２】
0003208173.tif 000004
【図３】
0003208173.tif 000005
【図４】
0003208173.tif 000006
【図５】
0003208173.tif 000007
【図６】
0003208173.tif 000008